(57)【要約】【課題】衝撃吸収性を確保しつつ、軽量化を図ることができるクリーンルーム用ヘッドプロテクタを提供する。【解決手段】クリーンルーム内で使用され、少なくとも頭部を覆うクリーンルーム用頭巾の内部に着脱可能に装着される半球形状のクリーンルーム用ヘッドプロテクタ１０において、それぞれメッシュ編地からなる表側編地と裏側編地とを連結糸で連結した下層立体編物１、中層立体編物２および上層立体編物３が積層されてなり、少なくともヘッドパッド部１ａ、２ａ、３ａにおいて、積層方向Ｙに隣り合う各立体編物のウェール方向Ｗ１、Ｗ２、Ｗ３が互いに略直交するよう構成した。【選択図】図６
0003153199.tif 000002
【実用新案登録請求の範囲】
【請求項１】
クリーンルーム内で使用され、少なくとも頭部を覆うクリーンルーム用頭巾の内部に着脱可能に装着される半球形状のクリーンルーム用ヘッドプロテクタであって、
それぞれメッシュ編地からなる表側編地と裏側編地とを連結糸で連結した立体編物が積層されてなり、
少なくとも頭頂部を覆う部分において、積層方向に隣り合う各立体編物のウェール方向が互いに略直交することを特徴とするクリーンルーム用ヘッドプロテクタ。
【考案の詳細な説明】
【技術分野】
【０００１】
本考案は、クリーンルーム用ヘッドプロテクタに関し、特に、クリーンルームなどの清浄空間で作業する際に着用されるクリーンルーム用頭巾の内部に装着されるクリーンルーム用ヘッドプロテクタに関する。
【背景技術】
【０００２】
一般に、清浄な空間であるクリーンルーム内においては、作業者の毛髪や毛髪に付着している塵埃などが作業対象物を汚染することを防止するため、作業者は、頭部および顔面を覆ういわゆるフードキャップを着用している。
【０００３】
このようなフードキャップを着用する必要のあるクリーンルーム内においては、作業者が機械装置などの狭所組立作業中に自ら頭部を前述の機械装置に打ち付けてしまうことがある。
【０００４】
このため、従来、例えばフードキャップを装着した上に、ヘルメットなどを装着することにより、クリーンルーム内においても作業者の頭部を保護するようにしていた。しかし、フードキャップとともにヘルメットを装着した場合には、作業者の動作に伴い、ヘルメットに対してフードキャップの装着位置がずれてしまい、作業者の視界が妨げられるばかりか、フードキャップの本来有する防塵機能が損なわれるなどの問題が生じるおそれがあった。
【０００５】
このような問題を解決するものとして、上述のヘルメットに代えて、フードキャップの内部に専用のヘッドバンドを介して装着され、作業者の頭部を覆う半球状に成形された高密度ポリエチレンなどの硬質樹脂からなるクリーンルーム用ヘッドプロテクタが知られている（例えば、特許文献１参照）。
【先行技術文献】
【特許文献】
【０００６】
【特許文献１】特開２００６−１４４１８９号公報
【考案の概要】
【考案が解決しようとする課題】
【０００７】
このように、特許文献１に記載の従来のクリーンルーム用ヘッドプロテクタは、その材質に高密度ポリエチレンなどの硬質樹脂が用いられている。このため、従来のクリーンルーム用ヘッドプロテクタにあっては、上述のヘルメットに比べて軽量となるものの、作業者の動き易さや着用感を考慮すれば、衝撃吸収性を確保しつつ、さらなる軽量化が望まれる。
【０００８】
本考案は、上述のような従来の事情に鑑みなされたもので、衝撃吸収性を確保しつつ、軽量化を図ることができるクリーンルーム用ヘッドプロテクタを提供することを目的とする。
【課題を解決するための手段】
【０００９】
本考案に係るクリーンルーム用ヘッドプロテクタは、上記目的達成のため、クリーンルーム内で使用され、少なくとも頭部を覆うクリーンルーム用頭巾の内部に着脱可能に装着される半球形状のクリーンルーム用ヘッドプロテクタであって、それぞれメッシュ編地からなる表側編地と裏側編地とを連結糸で連結した立体編物が積層されてなり、少なくとも頭頂部を覆う部分において、積層方向に隣り合う各立体編物のウェール方向が互いに略直交するよう構成される。
【００１０】
この構成により、本考案に係るクリーンルーム用ヘッドプロテクタは、立体編物を積層した構成により軽量化を図りつつも、少なくとも頭頂部を覆う部分において、積層方向に隣り合う各立体編物のウェール方向が互いに略直交するよう積層されているので、外力に対する応力が分散されるとともに、積層された各立体編物の弾性方向が各立体編物ごとに互いに異なる方向となり、例えば頭部に加わる外力に対して衝撃吸収性を確保することができる。
【考案の効果】
【００１１】
本考案によれば、衝撃吸収性を確保しつつ、軽量化を図ることができるクリーンルーム用ヘッドプロテクタを提供することができる。
【図面の簡単な説明】
【００１２】
【図１】本考案の実施の形態に係るクリーンルーム用ヘッドプロテクタを示す図であって、（ａ）は、前方側から見た斜視図であり、（ｂ）は、後方側から見た斜視図である。
【図２】本考案の実施の形態に係るクリーンルーム用ヘッドプロテクタを示す図であって、（ａ）は、上面図であり、（ｂ）は、側面図である。
【図３】本考案の実施の形態に係るクリーンルーム用ヘッドプロテクタを示す図であって、図２（ｂ）中、矢印Ａ方向から見た矢視断面図である。
【図４】本考案の実施の形態に係るクリーンルーム用ヘッドプロテクタの下面図である。
【図５】本考案の実施の形態に係るクリーンルーム用ヘッドプロテクタを示す図であって、（ａ）は、正面図であり、（ｂ）は、背面図である。
【図６】本考案の実施の形態に係るクリーンルーム用ヘッドプロテクタの各立体編物の積層構造を説明する図であって、ヘッドパッド部における部分拡大断面図である。
【図７】本考案の実施の形態に係るクリーンルーム用ヘッドプロテクタに適用される内装材の上面図である。
【図８】本考案の実施の形態に係るクリーンルーム用ヘッドプロテクタに内装材を適用した状態を示す斜視図である。
【考案を実施するための形態】
【００１３】
以下、本考案の実施の形態について、図面を参照して説明する。
図１（ａ）、（ｂ）に示すように、クリーンルーム用ヘッドプロテクタ１０は、例えば、半導体の製造工場などの清浄な空間であるクリーンルーム内において着用されるクリーンルーム用頭巾内に装着されて使用されるもので、複数の立体編物を縫製することにより作業者の頭部を覆うのに適した半球形状に成形されている。
【００１４】
また、図２（ａ）に示すように、クリーンルーム用ヘッドプロテクタ１０は、後述する面ファスナ５、６を介して、上述のクリーンルーム用頭巾の内部に位置決めされて装着されるようになっている。このため、クリーンルーム用ヘッドプロテクタ１０に対してクリーンルーム用頭巾がずれないようになっている。
【００１５】
さらに、図２（ｂ）に示すように、クリーンルーム用ヘッドプロテクタ１０は、特に、前方部（図２中、左側部分）に比べて、後頭部側（図２中、右側部分）が下方まで延在しており、作業者の頭部に装着された際に頭頂部のみならず、後頭部についても適切に保護するようになっている。
【００１６】
なお、クリーンルーム用ヘッドプロテクタ１０は、上述のクリーンルーム内の他に、手術室、薬品製造室、調理室、食品製造や衛生関連業の作業室など、その他、頭部からの汚染物による汚染が防止されるべき環境での使用に際して最適なものである。
【００１７】
図３に示すように、クリーンルーム用ヘッドプロテクタ１０は、内側、すなわち作業者の頭部に接する下層を構成する下層立体編物１と、外側、すなわちクリーンルーム用頭巾の内部に装着される上層を構成する上層立体編物３と、前述の下層立体編物１と上層立体編物３との間に設けられ、中層を構成する中層立体編物２と、を含んで構成されている。
【００１８】
上述の下層立体編物１、中層立体編物２および上層立体編物３は、それぞれハニカム状のメッシュ編地からなる表側編地と裏側編地とを連結糸で連結した表層、連結層および裏層の少なくとも三層で構成される立体的な編物であり、例えば、相対する２列の針床を有する編機で編成することができ、例えばダブルラッセル編機、ダブル丸編機、Ｖベッドを有する横編機等で編成される。なお、メッシュ編地としては、上述のハニカム状のものに限らず、例えばダイヤ状、格子状および円形状等のように開口された部分が形成された編地を適用することができる。
【００１９】
また、本実施の形態においては、クリーンルーム用ヘッドプロテクタ１０を構成する下層立体編物１、中層立体編物２および上層立体編物３がそれぞれフィラメントから構成されているので、クリーンルーム用ヘッドプロテクタ１０自体の発塵性を抑えることができる。
【００２０】
図３および図４に示すように、下層立体編物１、中層立体編物２および上層立体編物３は、それぞれ少なくとも作業者の頭頂部を覆うヘッドパッド部１ａ、２ａ、３ａと、作業者の側頭部を覆う一対のサイドパッド部１ｂ、２ｂ、３ｂとからなり、このヘッドパッド部１ａ、２ａ、３ａと一対のサイドパッド部１ｂ、２ｂ、３ｂとが接合部１ｃ、２ｃ、３ｃでそれぞれ縫製されて、半球形状に形成されている。
【００２１】
図４に示すように、下層立体編物１と中層立体編物２とは、互いに周縁部１ｄで縫製されており、この周縁部１ｄは、上層立体編物３の周縁部３ｄに縫製により接合されている。このように、下層立体編物１と中層立体編物２と上層立体編物３とは、周縁部１ｄと周縁部３ｄとの接合により一体となっている。
【００２２】
ここで、周縁部１ｄと周縁部３ｄとは、後頭部において一部接合されておらず、この周縁部１ｄと周縁部３ｄとの非接合部には開口部８が形成されている。この開口部８は、後述する内装材の挿入口として機能するようになっている。
【００２３】
また、図５（ａ）、（ｂ）に示すように、上層立体編物３のヘッドパッド部３ａの前方部および頭頂部には、それぞれ止着部材としての面ファスナ５、６が縫い付けられており、この面ファスナ５、６は、図示しないクリーンルーム用頭巾の内部に取り付けられた対応する面ファスナに係合するようになっている。したがって、クリーンルーム用ヘッドプロテクタ１０は、上層立体編物３の面ファスナ５、６を介して図示しないクリーンルーム用頭巾の内部に装着されるようになっている。なお、上述の止着部材は、面ファスナに限らず、例えばホック、ボタンあるいはスナップ等であってもよい。
【００２４】
さらに、図５（ｂ）に示すように、クリーンルーム用ヘッドプロテクタ１０は、後頭部に切欠部１０ａが形成されており、この切欠部１０ａにより作業者の頭部の大きさに応じて半球形状の大きさが調整可能になっている。
【００２５】
次いで、図６を参照して、下層立体編物１、中層立体編物２および上層立体編物３の積層構造について説明する。
【００２６】
図６に示すように、下層立体編物１、中層立体編物２および上層立体編物３は、ヘッドパッド部１ａ、２ａ、３ａにおいて、積層方向に隣り合う立体編物、すなわち本実施の形態では、下層立体編物１と中層立体編物２、中層立体編物２と上層立体編物３で各立体編物のウェール方向が互いに略直交、例えば７５°から１０５°の範囲で交わるように配置されている。
【００２７】
具体的には、図６中、Ｙで示す積層方向に隣り合う下層立体編物１と中層立体編物２とは、ヘッドパッド部１ａにおけるウェール方向Ｗ１およびコース方向Ｃ１とヘッドパッド部２ａにおけるウェール方向Ｗ２およびコース方向Ｃ２とが互いに略直交するように積層されている。また、積層方向Ｙに隣り合う中層立体編物２と上層立体編物３とは、ヘッドパッド部２ａにおけるウェール方向Ｗ２およびコース方向Ｃ２とヘッドパッド部３ａにおけるウェール方向Ｗ３およびコース方向Ｃ３とが互いに略直交するように積層されている。このため、積層方向に隣り合う各立体編物のウェール方向およびコース方向が一致して配置される場合に比べて、外力に対する応力が分散されるとともに、積層方向Ｙに隣り合う各立体編物の弾性方向が互いに異なる方向となる。この結果、例えば作業者の頭部に加わる外力に対して衝撃吸収性を向上させることができる。
【００２８】
本実施の形態においては、ヘッドパッド部１ａ、２ａ、３ａにおいて、上述のような積層構造としたが、これに限らず、ヘッドパッド部１ａ、２ａ、３ａに加えてサイドパッド部１ｂ、２ｂ、３ｂにおいても上述の積層構造を適用してもよい。
【００２９】
次に、図７および図８を参照して、クリーンルーム用ヘッドプロテクタ１０に挿脱可能な内装材について説明する。
【００３０】
ところで、作業者は、上述のクリーンルーム用ヘッドプロテクタ１０が有する衝撃吸収性により、クリーンルーム内に存在する機械装置との接触から頭部を保護することができる。しかしながら、クリーンルーム内に存在する機械装置は、突起部の全くない一様に平滑なものとは限らず、例えば突起部を有する機械装置も少なくない。したがって、作業者は、このような機械装置の突起部から頭部を保護する必要がある。
【００３１】
そこで、本実施の形態に係るクリーンルーム用ヘッドプロテクタ１０は、上述のような突起部から作業者の頭部を保護するため、以下に説明する内装材を必要に応じて挿脱可能な構成としている。
【００３２】
図７に示すように、内装材２０は、例えばポリエチレンからなる発泡シートなどのように軽量で、かつ可撓性のある部材で構成され、クリーンルーム用ヘッドプロテクタ１０に取り付けられた際に、ヘッドパッド部１ａ〜３ａに対応するヘッドプレート部２０ａと、一対のサイドパッド部１ｂ〜３ｂに対応する一対のサイドプレート部２０ｂと、切欠部１ｄ〜３ｄに対応するリヤプレート部２０ｄとが一体に成形されている。
【００３３】
したがって、内装材２０は、図８に示すように、クリーンルーム用ヘッドプロテクタ１０に取り付けられた際には、上述のヘッドプレート部２０ａ、サイドプレート部２０ｂおよびリヤプレート部２０ｄがそれぞれクリーンルーム用ヘッドプロテクタ１０内において対応する位置に配置されるよう撓むようになっている。
【００３４】
また、内装材２０は、クリーンルーム用ヘッドプロテクタ１０の開口部８から中層立体編物２と上層立体編物３（図３参照）との間に介挿されることにより、クリーンルーム用ヘッドプロテクタ１０に一体に挿着されるようになっている。なお、本実施の形態においては、中層立体編物２と上層立体編物３との間に内装材２０を介挿するように構成したが、これに限らず、例えば、下層立体編物１と中層立体編物２との間に内装材２０を介挿するように構成してもよい。この場合、下層立体編物１と中層立体編物２との間に内装材２０を介挿するための開口部を形成すればよい。
【００３５】
このように、クリーンルーム用ヘッドプロテクタ１０は、必要に応じて内装材２０を挿着することにより、例えば突起物などから作業者の頭部を保護することができる。
【００３６】
一方、例えば、クリーンルーム用ヘッドプロテクタ１０の洗濯時等のように内装材２０が必要でないときには、開口部８から引き出すことにより、クリーンルーム用ヘッドプロテクタ１０から取り外すことができる。
【００３７】
以上のように、本実施の形態に係るクリーンルーム用ヘッドプロテクタ１０は、下層立体編物１、中層立体編物２および上層立体編物３を積層した構成により軽量化を図りつつも、少なくとも頭頂部を覆うヘッドパッド部１ａ〜３ａにおいて、積層方向（図６中、Ｙで示す）に隣り合う各立体編物のウェール方向Ｗ１、Ｗ２、Ｗ３（図６参照）が互いに略直交するよう積層されているので、外力に対する応力が分散されるとともに、積層された各立体編物の弾性方向が各立体編物ごとに互いに異なる方向となり、例えば頭部に加わる外力に対して衝撃吸収性を確保することができる。
【００３８】
また、本実施の形態に係るクリーンルーム用ヘッドプロテクタ１０は、下層から上層までの各層がそれぞれ下層立体編物１、中層立体編物２および上層立体編物３で構成されており、かつ各立体編物がハニカム状のメッシュ編地からなる表側編地と裏側編地とを連結糸で連結した立体的な編物で構成されているため、優れた通気性を有し、作業者の頭部の蒸れを防止することができる。さらに、本実施の形態に係るクリーンルーム用ヘッドプロテクタ１０は、洗濯も可能であり、速乾性にも優れているため、衛生的に優れている。
【００３９】
また、本実施の形態に係るクリーンルーム用ヘッドプロテクタ１０は、下層立体編物１、中層立体編物２および上層立体編物３により作業者の頭部を覆うのに適した半球形状に成形されているので、作業者の頭部に対して優れたフィット感を有する。
【００４０】
また、本実施の形態に係るクリーンルーム用ヘッドプロテクタ１０は、下層立体編物１、中層立体編物２および上層立体編物３を積層した構成であるため、例えば作業者の頭部から落下するおそれのある髪の毛等が絡み易く、防塵性を向上させることができる。
【００４１】
なお、本実施の形態において、クリーンルーム用ヘッドプロテクタ１０は、下層立体編物１、中層立体編物２および上層立体編物３からなる３層構造としたが、これに限らず、例えば２層あるいは４層以上の多層構造や１層構造としてもよい。
【００４２】
また、本実施の形態において、下層立体編物１、中層立体編物２および上層立体編物３は、いずれもヘッドパッド部１ａ〜３ａと一対のサイドパッド部１ｂ〜３ｂとを接合部１ｃ〜３ｃを介して縫製により一体化して半球形状としたが、これに限らず、例えば接合部１ｃ〜３ｃを介さず１枚の立体編物として半球形状に形成してもよい。
【００４３】
また、本実施の形態においては、内装材２０を挿入するための開口部８がクリーンルーム用ヘッドプロテクタ１０の後頭部側に形成されているが、これに限らず、例えばクリーンルーム用ヘッドプロテクタ１０の前方部や側頭部の任意の位置に形成してもよい。
【符号の説明】
【００４４】
１  下層立体編物
２  中層立体編物
３  上層立体編物
１ａ、２ａ、３ａ  ヘッドパッド部
１０  クリーンルーム用ヘッドプロテクタ
Ｙ  積層方向
Ｗ１、Ｗ２、Ｗ３  ウェール方向
Ｃ１、Ｃ２、Ｃ３  コース方向
【図１】
0003153199.tif 000003
【図２】
0003153199.tif 000004
【図３】
0003153199.tif 000005
【図４】
0003153199.tif 000006
【図５】
0003153199.tif 000007
【図６】
0003153199.tif 000008
【図７】
0003153199.tif 000009
【図８】
0003153199.tif 000010